(57)【要約】  本願発明の液晶パネルは、互いに平行に延びる複数の第１透明電極（１１）が設けられた第１基板（２１ａ）と、第１基板（２１ａ）に対向するように設けられ、第２透明電極を有する第２基板と、第１基板（２１ａ）及び第２基板の間に設けられた液晶層と、第１基板（２１ａ）の液晶層側の表面に設けられた端子領域（Ｔ）と、端子領域（Ｔ）に設けられ、複数の第１透明電極（１１）に接続された第１端子（１１ｔ）と、端子領域（Ｔ）に設けられ、第２透明電極に接続された第２端子（１２ｔ）と、第１端子（１１ｔ）及び第２端子（１２ｔ）の各一部をそれぞれ覆うように設けられた保護絶縁膜（１３ａ）とを備えている。
2012137471.tif 000002
【特許請求の範囲】
【請求項１】
互いに平行に延びるように複数の第１透明電極が設けられた第１基板と、
上記第１基板に対向するように設けられ、第２透明電極を有する第２基板と、
上記第１基板及び第２基板の間に設けられ、視差バリアとして機能する液晶層と、
上記第１基板の上記液晶層側の表面に設けられ、上記第２基板から露出する端子領域と、
上記端子領域に設けられ、上記複数の第１透明電極に接続された第１端子と、
上記端子領域に設けられ、上記第２透明電極に接続された第２端子と、
上記第１端子及び第２端子の各一部をそれぞれ覆うように設けられた保護絶縁膜とを備えている、液晶パネル。
【請求項２】
上記第１基板の上記液晶層側の表面には、配向膜が設けられ、
上記保護絶縁膜は、上記配向膜の一部により構成されている、請求項１に記載の液晶パネル。
【請求項３】
上記保護絶縁膜は、上記第１端子及び第２端子の各面積の１０％以上且つ６５％以下をそれぞれ覆うように設けられている、請求項１又は２に記載の液晶パネル。
【請求項４】
上記液晶層が上記視差バリアとして機能しない第１の表示状態と、上記複数の第１透明電極と上記第２透明電極の間に電圧を印加することにより上記液晶層が上記各第１透明電極の延びる方向に沿うストライプ状の上記視差バリアとして機能する第２の表示状態とを切り替え可能に構成されている、上記請求項１乃至３の何れか１つに記載の液晶パネル。
【請求項５】
上記第２透明電極は、上記各第１透明電極と交差する方向に互いに平行に延びるように複数設けられ、
上記端子領域には、上記複数の第１透明電極のうち、奇数番目に接続された奇数側第１端子、及び偶数番目に接続された偶数側第１端子がそれぞれ設けられていると共に、上記複数の第２透明電極のうち、奇数番目に接続された奇数側第２端子、及び偶数番目に接続された偶数側第２端子がそれぞれ設けられている、請求項１乃至３の何れか１つに記載の液晶パネル。
【請求項６】
上記液晶層が上記視差バリアとして機能しない第１の表示状態と、上記奇数番目又は偶数番目の複数の第１透明電極と上記複数の第２透明電極との間に電圧を印加することにより上記各第１透明電極の延びる方向に沿うストライプ状の上記視差バリアが機能する第２の表示状態と、上記奇数番目又は偶数番目の複数の第２透明電極と上記複数の第１透明電極との間に電圧を印加することにより上記液晶層が上記各第２透明電極の延びる方向に沿うストライプ状の上記視差バリアとして機能する第３の表示状態とを切り替え可能に構成されている、請求項５に記載の液晶パネル。
【請求項７】
請求項１乃至６の何れか１つに記載された液晶パネルと、
上記液晶パネルに対向するように設けられた表示パネルとを備えている、表示装置。
【請求項８】
上記表示パネルは、互いに対向するように設けられた一対の基板と、該一対の基板の間に設けられた液晶層とを備えている、請求項７に記載の表示装置。
【請求項９】
上記液晶パネルは、上記表示パネルの表示状態を２次元表示と３次元表示とに切り替え可能に構成されている、請求項７又は８に記載の表示装置。
【発明の詳細な説明】
【技術分野】
【０００１】
本発明は、液晶パネル及びそれを備えた表示装置に関し、特に、表示状態の切り替えが可能な視差バリア用の液晶パネル及びそれを備えた表示装置に関するものである。
【背景技術】
【０００２】
近年、液晶表示装置では、２次元（２Ｄ）表示の表示状態と、３次元（３Ｄ）表示の表示状態との切り替えが可能な液晶表示装置が注目されている。【０００３】
この液晶表示装置は、例えば、画像表示を行うための表示用の液晶表示パネルと、２次元表示の第１の表示状態と３次元表示の第２の表示状態とを切り替えるための視差バリア用の液晶パネルとを備えている。【０００４】
視差バリア用の液晶パネルは、互いに対向するように設けられた第１基板及び第２基板と、第１基板及び第２基板の間に設けられた液晶層とを備えている。ここで、第１基板の液晶層側の表面には、例えば、互いに平行に延びるように複数の透明電極が設けられている。また、第２基板の液晶層側の表面には、例えば、透明な共通電極が設けられている。そして、第１基板は、第２基板よりも突出する部分に端子領域を有し、その端子領域には、例えば、各透明電極に接続された第１端子、及び第２基板の共通電極にコモン転移材を介して接続された第２端子がそれぞれ設けられている。【０００５】
例えば、特許文献１には、対向配置された一対の電極付き基板の少なくとも一方の基板における電極構造が、最も広い部分の幅を５０μｍとする導電体部と、最も広い部分の幅を５０μｍとする非導電体部とからなる領域を１画素毎に有してなる、液晶表示素子が開示されている。【０００６】
また、特許文献２には、複数の接続端子部が等間隔で配置された端子構造を有する表示装置が開示されている。
【先行技術文献】
【特許文献】
【０００７】
【特許文献１】特開平７−２３４４１４号公報
【特許文献２】特開２００１−１９５００５号公報
【発明の概要】
【発明が解決しようとする課題】
【０００８】
ところで、上述した視差バリア用の液晶パネルは、例えば、第１端子及び第２端子に互いに逆相の矩形波の第１信号及び第２信号をそれぞれ入力して、例えば、共通電極と各透明電極との間に電圧を印加することにより、各透明電極に沿って遮光領域が形成され、視差バリアとして機能するように構成されている。ここで、視差バリア用の液晶パネルでは、第１基板の端子領域に設けられた第１端子及び第２端子の間に電位差が発生し易いので、第１端子及び第２端子の間に局部電池が形成されることにより、低電位側の第１端子又は第２端子が腐食するおそれがある。【０００９】
本発明は、かかる点に鑑みてなされたものであり、その目的とするところは、視差バリア用の液晶パネルに設けられた端子の腐食を抑制することにある。
【課題を解決するための手段】
【００１０】
上記目的を達成するために、本発明は、第１基板の複数の第１透明電極に接続された第１端子、及び第２基板の第２透明電極に接続された第２端子の各一部をそれぞれ覆うように保護絶縁膜を設けるようにしたものである。【００１１】
具体的に本発明に係る液晶パネルは、互いに平行に延びるように複数の第１透明電極が設けられた第１基板と、上記第１基板に対向するように設けられ、第２透明電極を有する第２基板と、上記第１基板及び第２基板の間に設けられ、視差バリアとして機能する液晶層と、上記第１基板の上記液晶層側の表面に設けられ、上記第２基板から露出する端子領域と、上記端子領域に設けられ、上記複数の第１透明電極に接続された第１端子と、上記端子領域に設けられ、上記第２透明電極に接続された第２端子と、上記第１端子及び第２端子の各一部をそれぞれ覆うように設けられた保護絶縁膜とを備えている。【００１２】
上記の構成によれば、複数の第１透明電極と第２透明電極との間に電圧を印加して液晶層を視差バリアとして機能させるために、第１基板に設けられた複数の第１透明電極に接続された端子領域の第１端子と、第２基板に設けられた第２透明電極に（例えば、コモン転移材などを介して）接続された端子領域の第２端子とにそれぞれ所定の信号を入力することにより、第１端子及び第２端子の間に電位差が発生し易くなっていても、第２基板から露出する第１基板の端子領域に設けられた第１端子及び第２端子の各一部が保護絶縁膜でそれぞれ覆われているので、第１端子及び第２端子の腐食耐性が向上する。これにより、視差バリア用の液晶パネルの端子領域に設けられた第１端子及び第２端子の腐食が抑制されるので、視差バリア用の液晶パネルに設けられた端子の腐食が抑制される。【００１３】
上記第１基板の上記液晶層側の表面には、配向膜が設けられ、上記保護絶縁膜は、上記配向膜の一部により構成されていてもよい。【００１４】
上記の構成によれば、保護絶縁膜が第１基板の液晶層側の表面に設けられた配向膜の一部により構成されているので、製造工程を追加することなく、第１端子及び第２端子上に保護絶縁膜が形成される。【００１５】
上記保護絶縁膜は、上記第１端子及び第２端子の各面積の１０％以上且つ６５％以下をそれぞれ覆うように設けられていてもよい。【００１６】
上記の構成によれば、第１端子及び第２端子の各面積の１０％以上且つ６５％以下をそれぞれ覆うように保護絶縁膜が設けられているので、視差バリア用の液晶パネルに設けられた第１端子及び第２端子の腐食が具体的に抑制される。ここで、保護絶縁膜が、第１端子及び第２端子の各面積の１０％未満をそれぞれ覆っている場合には、第１端子及び第２端子の腐食耐性が不十分になるので、腐食が発生し易くなり、（特に、配向膜などの有機膜の）保護絶縁膜が、第１端子及び第２端子の各面積の６５％を超えてそれぞれ覆っている場合には、有機膜と端子表面との密着性が低くなるので、第１端子及び第２端子に、例えば、ＦＰＣ（Flexible Printed Circuit）を圧着する際に介在させるＡＣＦ（Anisotropic Conductive Film）の剥離が発生し易くなるおそれがある。【００１７】
上記液晶層が上記視差バリアとして機能しない第１の表示状態と、上記複数の第１透明電極と上記第２透明電極の間に電圧を印加することにより上記液晶層が上記各第１透明電極の延びる方向に沿うストライプ状の上記視差バリアとして機能する第２の表示状態とを切り替え可能に構成されていてもよい。【００１８】
上記の構成によれば、液晶層が視差バリアとして機能しない第１の表示状態と、液晶層が各第１透明電極の延びる方向に沿うストライプ状の視差バリアとして機能する第２の表示状態とを切り替え可能に構成されているので、例えば、液晶パネルに対向するように設けられた表示パネルの画像を２次元表示の第１の表示状態、又は３次元表示の第２の表示状態で表示することが可能になる。【００１９】
上記第２透明電極は、上記各第１透明電極と交差する方向に互いに平行に延びるように複数設けられ、上記端子領域には、上記複数の第１透明電極のうち、奇数番目に接続された奇数側第１端子、及び偶数番目に接続された偶数側第１端子がそれぞれ設けられていると共に、上記複数の第２透明電極のうち、奇数番目に接続された奇数側第２端子、及び偶数番目に接続された偶数側第２端子がそれぞれ設けられていてもよい。【００２０】
上記の構成によれば、第１基板に複数の第１透明電極が互いに平行に延びるように設けられ、第２基板に複数の第２透明電極が互いに平行に延びるように設けられ、端子領域に、奇数番目の複数の第１透明電極に接続された奇数側第１端子、偶数番目の複数の第１透明電極に接続された偶数側第１端子、奇数番目の複数の第２透明電極に接続された奇数側第２端子、及び偶数番目の複数の第２透明電極に接続された偶数側第２端子がそれぞれ設けられているので、奇数側第１端子又は偶数側第１端子と奇数側第２端子及び偶数側第２端子とにそれぞれ所定の信号を入力することにより、奇数番目又は偶数番目の複数の第１透明電極と（奇数番目及び偶数番目の）複数の第２透明電極との間に電圧が具体的に印加され、また、奇数側第１端子及び偶数側第１端子と奇数側第２端子又は偶数側第２端子とにそれぞれ所定の信号を入力することにより、（奇数番目及び偶数番目の）複数の第１透明電極と奇数番目又は偶数番目の複数の第２透明電極との間に電圧が具体的に印加される。【００２１】
上記液晶層が上記視差バリアとして機能しない第１の表示状態と、上記奇数番目又は偶数番目の複数の第１透明電極と上記複数の第２透明電極との間に電圧を印加することにより上記各第１透明電極の延びる方向に沿うストライプ状の上記視差バリアが機能する第２の表示状態と、上記奇数番目又は偶数番目の複数の第２透明電極と上記複数の第１透明電極との間に電圧を印加することにより上記液晶層が上記各第２透明電極の延びる方向に沿うストライプ状の上記視差バリアとして機能する第３の表示状態とを切り替え可能に構成されていてもよい。【００２２】
上記の構成によれば、液晶層が視差バリアとして機能しない第１の表示状態と、液晶層が各第１透明電極の延びる方向に沿うストライプ状の視差バリアとして機能する第２の表示状態と、液晶層が各第２透明電極の延びる方向に沿うストライプ状の視差バリアとして機能する第３の表示状態とを切り替え可能に構成されているので、例えば、液晶パネルに対向するように設けられた表示パネルの画像を２次元表示の第１の表示状態、縦画面での３次元表示の第２の表示状態、又は横画面での３次元表示の第３の表示状態で表示することが可能になる。【００２３】
また、本発明に係る表示装置は、上述した何れか１つに記載された液晶パネルと、上記液晶パネルに対向するように設けられた表示パネルとを備えている。【００２４】
上記の構成によれば、上述した液晶パネルと、それに対向するように設けられた表示パネルとを備えているので、液晶表示パネルや有機ＥＬ（Electro Luminescence）表示パネルなどの表示パネルを備えた表示装置において、視差バリア用の液晶パネルに設けられた端子の腐食が抑制される。【００２５】
上記表示パネルは、互いに対向するように設けられた一対の基板と、該一対の基板の間に設けられた液晶層とを備えていてもよい。【００２６】
上記の構成によれば、表示パネルが互いに対向するように設けられた一対の基板と、それらの両基板の間に設けられた液晶層とを備えているので、液晶表示パネルを備えた表示装置において、視差バリア用の液晶パネルに設けられた端子の腐食が抑制される。【００２７】
上記液晶パネルは、上記表示パネルの表示状態を２次元表示と３次元表示とに切り替え可能に構成されていてもよい。【００２８】
上記の構成によれば、液晶パネルが表示パネルの表示状態を２次元表示と３次元表示とに切り替え可能に構成されているので、２次元表示と３次元表示との切り替え可能な表示装置において、視差バリア用の液晶パネルに設けられた端子の腐食が抑制される。
【発明の効果】
【００２９】
本発明によれば、第１基板の複数の第１透明電極に接続された第１端子、及び第２基板の第２透明電極に接続された第２端子の各一部をそれぞれ覆うように保護絶縁膜が設けられているので、視差バリア用の液晶パネルに設けられた端子の腐食を抑制することができる。
【図面の簡単な説明】
【００３０】
【図１】図１は、実施形態１に係る液晶表示装置の断面図である。
【図２】図２は、実施形態１に係る液晶パネルの平面図である。
【図３】図３は、実施形態１に係る液晶パネルを構成するセグメント側基板の平面図である。
【図４】図４は、実施形態１に係る液晶パネルを構成するコモン側基板の平面図である。
【図５】図５は、実施形態１に係る液晶パネルを構成するセグメント側基板及びコモン側基板の斜視図である。
【図６】図６は、実施形態１に係る液晶表示装置の２次元表示の際の模式図である。
【図７】図７は、実施形態１に係る液晶表示装置の３次元表示の際の模式図である。
【図８】図８は、実施形態２に係る液晶表示装置の断面図である。
【図９】図９は、実施形態３に係る液晶表示装置の断面図である。
【図１０】図１０は、実施形態３に係る液晶パネルを構成するセグメント側基板の平面図である。
【図１１】図１１は、実施形態３に係る液晶パネルを構成するコモン側基板の平面図である。
【図１２】図１２は、実施形態３に係る液晶パネルを構成するセグメント側基板及びコモン側基板の斜視図である。
【図１３】図１３は、実施形態４に係る液晶表示装置の断面図である。
【図１４】図１４は、実施形態４に係る液晶パネルを構成するセグメント側基板の平面図である。
【図１５】図１５は、実施形態４に係る液晶パネルを構成するセグメント側基板及びコモン側基板の斜視図である。
【発明を実施するための形態】
【００３１】
以下、本発明の実施形態を図面に基づいて詳細に説明する。なお、本発明は、以下の各実施形態に限定されるものではない。
【００３２】
《発明の実施形態１》
図１〜図７は、本発明に係る液晶パネル及びそれを備えた表示装置の実施形態１を示している。具体的に、図１は、本実施形態の液晶表示装置７０ａの断面図である。また、図２は、液晶表示装置７０ａを構成する液晶パネル３０ａの平面図である。また、図３は、液晶パネル３０ａを構成するセグメント側基板２１ａの平面図であり、図４は、液晶パネル３０ａを構成するコモン側基板２２ａの平面図である。なお、図４は、図１中の上側からみたコモン側基板２２ａの平面図である。また、図５は、セグメント側基板２１ａ及びコモン側基板２２ａの配置状態を示す斜視図である。
【００３３】
液晶表示装置７０ａは、図１に示すように、視差バリア用の液晶パネル３０ａと、液晶パネル３０ａの図中上側に設けられた表示用の液晶表示パネル４５と、液晶パネル３０ａの図中下側に設けられたバックライト５５と、バックライト５５上に設けられた拡散板５７と、拡散板５７及び液晶パネル３０ａの間に設けられた光学シート６０と、液晶パネル３０ａ、液晶表示パネル４５、バックライト５５、拡散板５７及び光学シート６０などを内部に収容するように設けられた枠状のベゼル６４とを備えている。ここで、液晶表示装置７０ａでは、図１に示すように、液晶パネル３０ａ及び液晶表示パネル４５がＦＰＣ６２を介して駆動回路装置６３に接続されている。
【００３４】
液晶パネル３０ａは、図１に示すように、第１基板として設けられたセグメント側基板２１ａと、セグメント側基板２１ａに対向するように第２基板として設けられたコモン側基板２２ａと、セグメント側基板２１ａ及びコモン側基板２２ａの間に設けられた液晶層２５と、セグメント側基板２１ａ及びコモン側基板２２ａを互いに接着すると共に、セグメント側基板２１ａ及びコモン側基板２２ａの間に液晶層２５を封入するために枠状に設けられたシール材２６とを備えている。そして、液晶パネル３０ａでは、図２に示すように、セグメント側基板２１ａの液晶層２５側の表面に、コモン側基板２２ａから露出するように、端子領域Ｔが設けられている。
【００３５】
コモン側基板２２ａは、図４及び図５に示すように、ガラス基板などの透明な絶縁基板１０ｂと、絶縁基板１０ｂ上に矩形状に設けられた第２透明電極１６と、第２透明電極１６に接続されたコンタクト部１６ｃと、第２透明電極１６を覆うように設けられたポリイミド製の配向膜１７ａとを備えている。ここで、第２透明電極１６、コンタクト部１６ｃ及びそれらの間の配線は、絶縁基板１０ｂ上に、例えば、ＩＴＯ（Indium Tin Oxide）などの透明導電膜を成膜した後に、その透明導電膜に対して、フォトリソグラフィ、エッチング及びレジストの剥離洗浄を行うことにより、同時に形成される。また、コモン側基板２２ａの液晶層２５と反対側（図中上側）の表面には、図１に示すように、偏光板３１ｂが貼り付けられている。
【００３６】
セグメント側基板２１ａは、図３及び図５に示すように、ガラス基板などの透明な絶縁基板１０ａと、絶縁基板１０ａ上に互いに平行に延びるように設けられた複数の第１透明電極１１と、各第１透明電極１１に接続された第１端子１１ｔと、コモン側基板２２ａのコンタクト部１６ｃに重なるように設けられたコンタクト部１２ｃと、コンタクト部１２ｃに接続された第２端子１２ｔと、各第１透明電極１１を覆うように設けられたポリイミド製の配向膜１３ａとを備えている。ここで、各第１透明電極１１、第１端子１１ｔ及びそれらの間の配線、並びにコンタクト部１２ｃ、第２端子１２ｔ及びそれらの間の配線は、絶縁基板１０ａ上に、例えば、ＩＴＯなどの透明導電膜を成膜した後に、その透明導電膜に対して、フォトリソグラフィ、エッチング及びレジストの剥離洗浄を行うことにより、同時に形成される。また、セグメント側基板２１ａの液晶層２５と反対側（図中下側）の表面には、図１に示すように、偏光板３１ａが貼り付けられている。さらに、第１端子１１ｔ及び第２端子１２ｔの各表面には、図３に示すように、第１端子１１ｔ及び第２端子１２ｔの各面積の１０％以上且つ６５％以下をそれぞれ覆うように、配向膜１３ａが保護絶縁膜として延設されている。ここで、配向膜１３ａが、第１端子１１ｔ及び第２端子１２ｔの各面積の１０％未満をそれぞれ覆っている場合には、第１端子１１ｔ及び第２端子１２ｔの腐食耐性が不十分になるので、腐食が発生し易くなり、配向膜１３ａが、第１端子１１ｔ及び第２端子１２ｔの各面積の６５％を超えてそれぞれ覆っている場合には、有機膜と端子表面との密着性が低くなるので、第１端子１１ｔ及び第２端子１２ｔに、ＦＰＣ６２を圧着する際に介在させるＡＣＦ（不図示）の剥離が発生し易くなるおそれがある。なお、第１端子１１ｔ及び第２端子１２ｔは、例えば、１６００μｍ〜３２００μｍ×９５０μｍ程度の面積をそれぞれ有している。
【００３７】
液晶層２５は、電気光学特性を有するネマチックの液晶材料などにより構成されている。
【００３８】
液晶パネル３０ａでは、セグメント側基板２１ａ上のコンタクト部１２ｃ、及びコモン側基板２２ａ上のコンタクト部１６ｃが、例えば、銀ペーストなどのコモン転移材（不図示）を介して互いに接続されていることにより、セグメント側基板２１ａ上の第２端子１２ｔがコモン側基板２２ａ上の第２透明電極１６に接続されている。
【００３９】
液晶表示パネル４５は、図１に示すように、互いに対向するように一対の基板として設けられたアクティブマトリクス基板４１及び対向基板４２と、アクティブマトリクス基板４１及び対向基板４２の間に設けられた液晶層４３と、アクティブマトリクス基板４１及び対向基板４２を互いに接着すると共に、アクティブマトリクス基板４１及び対向基板４２の間に液晶層４３を封入するために枠状に設けられたシール材４４とを備えている。ここで、液晶表示パネル４５では、例えば、赤色を表示するための副画素、緑色を表示するための副画素、及び青色を表示するための副画素の３つの副画素などにより、１つの画素が構成されている。
【００４０】
アクティブマトリクス基板４１は、例えば、ガラス基板などの透明な絶縁基板（不図示）と、絶縁基板上に互いに平行に延びるように設けられた複数のゲート線（不図示）と、各ゲート線と直交する方向に互いに平行に延びるように設けられた複数のソース線（不図示）と、各ゲート線及び各ソース線の交差部分毎、すなわち、各副画素毎にそれぞれ設けられた複数のＴＦＴ（不図示）と、各ＴＦＴを覆うように設けられた層間絶縁膜と、層間絶縁膜上にマトリクス状に設けられた複数の画素電極（不図示）と、各画素電極を覆うように設けられた配向膜（不図示）とを備えている。ここで、アクティブマトリクス基板４１の液晶層４３と反対側（図中下側）の表面には、図１に示すように、液晶パネル３０ａを構成するコモン側基板２２ａに貼り付けられた偏光板３１ｂが貼り付けられている。
【００４１】
対向基板４２は、例えば、ガラス基板などの透明な絶縁基板（不図示）と、絶縁基板上に格子状に設けられたブラックマトリクス（不図示）と、ブラックマトリクスの各格子間にそれぞれ設けられた赤色層、緑色層及び青色層などの複数の着色層（不図示）と、ブラックマトリクス及び各着色層を覆うように設けられた共通電極（不図示）と、共通電極上に柱状に設けられた複数のフォトスペーサと（不図示）、共通電極を覆うように設けられた配向膜（不図示）とを備えている。ここで、対向基板４２の液晶層４３と反対側（図中上側）の表面には、図１に示すように、偏光板４６ｂが貼り付けられている。
【００４２】
液晶層４３は、電気光学特性を有するネマチックの液晶材料などにより構成されている。
【００４３】
バックライト５５は、図１に示すように、箱状に設けられたシャーシ５３と、シャーシ５３の図中上方に開口した側の内面に設けられた反射シート５２と、反射シート５２の上方に互いに平行に延びるように設けられた複数の線状光源５１とを備えている。また、バックライト５５は、図１に示すように、枠状のフレーム５６の図中下側の内部に収容されている。ここで、反射シート５２は、例えば、厚さ０．２ｍｍ〜０．５ｍｍ程度のアルミニウムや銀などの光反射率の高い金属膜により構成されている。なお、本実施形態では、シャーシ５３の内面に反射シート５２を貼り付けることにより、シャーシ５３の内面に光反射性が付与されたバックライト５５を例示したが、例えば、シャーシ５３の内面に光反射率の高い白色などの塗料を塗布することにより、シャーシ５３の内面に光反射性を付与してもよい。また、線状光源５１は、例えば、冷陰極蛍光管などにより構成されている。なお、本実施形態では、直下型のバックライト５５を例示したが、例えば、導光板を備えたエッジライト型のバックライトやＬＥＤ（Light Emitting Diode）のような他の光源を備えたバックライトなどであってもよい。
【００４４】
拡散板５７は、例えば、透明な樹脂材料やガラス材料などにより、厚さ２ｍｍ程度の矩形板状に形成されている。そして、拡散板５７は、バックライト５５から入射する光を拡散して、光学シート６０側に出射するように構成されている。また、拡散板５７は、図１に示すように、フレーム５６及びバックライト５５の間に、フレーム５６側に弾性変形可能な押圧部材５８を介して設けられている。ここで、拡散板５７は、バックライト５５のシャーシ５３と押圧部材５８との間で移動可能に保持されていることにより、線状光源５１の発熱やシャーシ５３の内部の温度上昇などに起因する伸縮変形が、押圧部材５８の弾性変形により緩衝され、バックライト５５からの光の拡散性の低下を抑制するように構成されている。
【００４５】
光学シート６０は、例えば、厚さ０．５ｍｍ程度の合成樹脂フィルムにより構成された集光シートを含み、液晶パネル３０ａ及び液晶表示パネル４５に出射される光の輝度を向上させると共に、拡散板５７から出射された光を均一な輝度（例えば、５０００ｃｄ／ｍ２程度）の面状の光に変換するように構成されている。また、光学シート６０では、液晶表示パネル４５での表示品位の向上などを図るためのプリズムシート、拡散シート、偏光シートなどの公知の光学シート材が必要に応じて適宜積層されている。ここで、光学シート６０は、図１に示すように、その一方の端部だけがフレーム５６と押圧部材５８との間に押圧部材５８側に弾性材５９を介して固定され、拡散板５７上に伸縮可能な状態で組み込まれている。これにより、光学シート６０は、バックライト５５の各線状光源５１の発熱などにより、伸縮変形が生じたとしても、シワや撓みなどの発生が抑制されるので、輝度ムラなどの表示品位の低下が抑制される。
【００４６】
次に、上記構成の液晶表示装置７０ａの動作について説明する。ここで、図６及び図７は、液晶表示装置７０ａの２次元表示及び３次元表示の際の状態をそれぞれ示す模式図である。
【００４７】
まず、２次元表示（第１の表示状態）の際には、図６に示すように、液晶表示パネル４５において、アクティブマトリクス基板４１上の各画素電極と対向基板４２上の共通電極との間に配置する液晶層４３に各副画素毎に所定の電圧を印加して、液晶層４３の配向状態を変えることにより、各副画素毎にバックライト５５からの光の透過率を調整し、液晶パネル３０ａにおいて、液晶層２５に電圧を印加せずに、視差バリアを発生させない（視差バリアＢ（図７参照）を透明化する）ことにより、左右の眼に同じ光を届かせて、２次元の画像を表示する。
【００４８】
また、３次元表示（第２の表示状態）の際には、図７に示すように、液晶表示パネル４５において、アクティブマトリクス基板４１上の各画素電極と対向基板４２上の共通電極との間に配置する液晶層４３に各副画素毎に所定の電圧を印加して、液晶層４３の配向状態を変えることにより、各副画素毎にバックライト５５からの光の透過率を調整し、液晶パネル３０ａにおいて、第１端子１１ｔ及び第２端子１２ｔに互いに逆相の矩形波の第１信号及び第２信号をそれぞれ入力することにより、液晶層２５に所定の電圧を印加して、各第１透明電極１１の延びる方向に沿うストライプ状の視差バリアＢを発生させることにより、左右の眼に互いに異なる光を届かせて、３次元の画像を表示する。ここで、液晶表示パネル４５は、３次元表示の際に、液晶パネル３０ａにおける各第１透明電極１１の延びる方向と直交する方向に沿って、左眼用の画像を表示するための画素と、右眼用の画像を表示するための画素とを互いに離間して配置させるように制御されている。
【００４９】
以上説明したように、本実施形態の液晶パネル３０ａ及びそれを備えた液晶表示装置７０ａによれば、複数の第１透明電極１１と第２透明電極１６との間に電圧を印加して液晶層２５を視差バリアＢとして機能させるために、セグメント側基板２１ａに設けられた複数の第１透明電極１１に接続された端子領域Ｔの第１端子１１ｔと、コモン側基板２２ａに設けられた第２透明電極１６にコモン転移材を介して接続された端子領域Ｔの第２端子１２ｔとにそれぞれ所定の信号を入力することにより、第１端子１１ｔ及び第２端子１２ｔの間に電位差が発生し易くなっていても、コモン側基板２２ａから露出するセグメント側基板２１ａの端子領域Ｔに設けられた第１端子１１ｔ及び第２端子１２ｔの各一部が配向膜１３ａでそれぞれ覆われているので、第１端子１１ｔ及び第２端子１２ｔの腐食耐性が向上する。これにより、視差バリア用の液晶パネル３０ａの端子領域Ｔに設けられた第１端子１１ｔ及び第２端子１２ｔの腐食を抑制することができるので、視差バリア用の液晶パネル３０ａに設けられた端子の腐食を抑制することができる。
【００５０】
また、本実施形態の液晶パネル３０ａ及びそれを備えた液晶表示装置７０ａによれば、保護絶縁膜（１３ａ）がセグメント側基板２１ａの液晶層２５側の表面に設けられた配向膜１３ａの一部により構成されているので、製造工程を追加することなく、第１端子１１ｔ及び第２端子１２ｔ上に保護絶縁膜（１３ａ）を配置することができる。
【００５１】
また、本実施形態の液晶パネル３０ａ及びそれを備えた液晶表示装置７０ａによれば、液晶層２５が視差バリアとして機能しない２次元表示の第１の表示状態と、液晶層２５が各第１透明電極１１の延びる方向に沿うストライプ状の視差バリアＢとして機能する３次元表示の第２の表示状態とを切り替え可能に構成されているので、液晶パネル３０ａに対向するように設けられた液晶表示パネル４５の画像を２次元表示の第１の表示状態、又は３次元表示の第２の表示状態で表示することができる。
【００５２】
《発明の実施形態２》
図８は、本実施形態の液晶表示装置７０ｂの断面図である。なお、以下の各実施形態において、図１〜図７と同じ部分については同じ符号を付して、その詳細な説明を省略する。
【００５３】
上記実施形態１では、液晶パネル３０ａの表示画面側に液晶表示パネル４５が配置された液晶表示装置７０ａを例示したが、本実施形態では、液晶パネル３０ａのバックライト５５側に液晶表示パネル４５が配置された液晶表示装置７０ｂを例示する。
【００５４】
液晶表示装置７０ｂは、図８に示すように、視差バリア用の液晶パネル３０ａと、液晶パネル３０ａの図中下側に設けられた表示用の液晶表示パネル４５と、液晶表示パネル４５の図中下側に設けられたバックライト５５と、バックライト５５上に設けられた拡散板５７と、拡散板５７及び液晶表示パネル４５の間に設けられた光学シート６０と、液晶パネル３０ａ、液晶表示パネル４５、バックライト５５、拡散板５７及び光学シート６０などを内部に収容するように設けられた枠状のベゼル６４とを備えている。
【００５５】
液晶表示パネル４５を構成する対向基板４２の液晶層４３と反対側（図中上側）の表面には、図８に示すように、液晶パネル３０ａを構成するセグメント側基板２１ａに貼り付けられた偏光板３１ａが貼り付けられている。また、液晶表示パネル４５を構成するアクティブマトリクス基板４１の液晶層４３と反対側（図中下側）の表面には、図８に示すように、偏光板４６ａが貼り付けられている。
【００５６】
以上説明したように、本実施形態の液晶パネル３０ａ及びそれを備えた液晶表示装置７０ｂによれば、上記実施形態１と同様に、コモン側基板２２ａから露出するセグメント側基板２１ａの端子領域Ｔにおいて、第１端子１１ｔ及び第２端子１２ｔの各一部が配向膜１３ａでそれぞれ覆われているので、視差バリア用の液晶パネル３０ａに設けられた端子の腐食を抑制することができる。
【００５７】
なお、本実施形態及び上記実施形態１では、セグメント側基板２１ａに複数の第１透明電極１１が設けられ、コモン側基板２２ａに単一の第２透明電極１６が設けられた液晶パネル３０ａを例示したが、例えば、セグメント側基板（２１ａ）に単一の第２透明電極（１６）が設けられ、コモン側基板（２２ａ）に複数の第１透明電極（１１）が設けられた基板構成であってもよい。
【００５８】
《発明の実施形態３》
図９は、本実施形態の液晶表示装置７０ｃの断面図である。また、図１０は、本実施形態の液晶パネル３０ｃを構成するセグメント側基板２１ｃの平面図であり、図１１は、液晶パネル３０ｃを構成するコモン側基板２２ｃの平面図である。なお、図１１は、図９中の上側からみたコモン側基板２２ｃの平面図である。さらに、図１２は、セグメント側基板２１ｃ及びコモン側基板２２ｃの配置状態を示す斜視図である。
【００５９】
上記各実施形態では、コモン側基板２２ａに単一の第２透明電極１６が設けられた液晶パネル３０ａを備えた液晶表示装置７０ａ及び７０ｂを例示したが、本実施形態では、コモン側基板２２ｃに複数の第２透明電極１６ａ及び１６ｂが設けられた液晶パネル３０ｃを備えた液晶表示装置７０ｃを例示する。
【００６０】
液晶表示装置７０ｃは、図９に示すように、視差バリア用の液晶パネル３０ｃと、液晶パネル３０ｃの図中下側に設けられた表示用の液晶表示パネル４５と、液晶表示パネル４５の図中下側に設けられたバックライト５５と、バックライト５５上に設けられた拡散板５７と、拡散板５７及び液晶表示パネル４５の間に設けられた光学シート６０と、液晶パネル３０ｃ、液晶表示パネル４５、バックライト５５、拡散板５７及び光学シート６０などを内部に収容するように設けられた枠状のベゼル６４とを備えている。
【００６１】
液晶パネル３０ｃは、図９に示すように、第１基板として設けられたセグメント側基板２１ｃと、セグメント側基板２１ｃに対向するように第２基板として設けられたコモン側基板２２ｃと、セグメント側基板２１ｃ及びコモン側基板２２ｃの間に設けられた液晶層２５と、セグメント側基板２１ｃ及びコモン側基板２２ｃを互いに接着すると共に、セグメント側基板２１ｃ及びコモン側基板２２ｃの間に液晶層２５を封入するために枠状に設けられたシール材２６とを備えている。そして、液晶パネル３０ｃでは、セグメント側基板２１ｃの液晶層２５側の表面に、コモン側基板２２ｃから露出するように、端子領域Ｔ（図１０参照）が設けられている。
【００６２】
コモン側基板２２ｃは、図１１及び図１２に示すように、ガラス基板などの透明な絶縁基板１０ｂと、絶縁基板１０ｂ上に互いに平行に延びるように設けられた複数の第２透明電極１６ａ及び１６ｂと、図１１中上側から奇数番目の複数の第２透明電極１６ａに接続されたコンタクト部１６ａｃと、図１１中上側から偶数番目の複数の第２透明電極１６ｂに接続されたコンタクト部１６ｂｃと、奇数番目の各第２透明電極１６ａ及び偶数番目の各第２透明電極１６ｂを覆うように設けられたポリイミド製の配向膜１７ｂとを備えている。ここで、奇数番目の複数の第２透明電極１６ａ、コンタクト部１６ａｃ及びそれらの間の配線、並びに偶数番目の複数の第２透明電極１６ｂ、コンタクト部１６ｂｃ及びそれらの間の配線は、絶縁基板１０ｂ上に、例えば、ＩＴＯなどの透明導電膜を成膜した後に、その透明導電膜に対して、フォトリソグラフィ、エッチング及びレジストの剥離洗浄を行うことにより、同時に形成される。また、コモン側基板２２ｃの液晶層２５と反対側（図中上側）の表面には、図９に示すように、偏光板３１ｂが貼り付けられている。
【００６３】
セグメント側基板２１ｃは、図１０及び図１２に示すように、ガラス基板などの透明な絶縁基板１０ａと、絶縁基板１０ａ上にコモン側基板２２ｃの複数の第２透明電極１６ａ及び１６ｂと直交する方向に互いに平行に延びるように設けられた複数の第１透明電極１１ａ及び１１ｂと、図１０中左側から奇数番目の複数の第１透明電極１１ａに接続された奇数側第１端子１１ａｔと、図１０中左側から偶数番目の複数の第１透明電極１１ｂに接続された偶数側第１端子１１ｂｔと、コモン側基板２２ｃのコンタクト部１６ａｃ及び１６ｂｃにそれぞれ重なるように設けられたコンタクト部１２ａｃ及び１２ｂｃと、コンタクト部１２ａｃに接続された奇数側第２端子１２ａｔと、コンタクト部１２ｂｃに接続された偶数側第２端子１２ｂｔと、奇数番目の各第１透明電極１１ａ及び偶数番目の各第１透明電極１１ｂを覆うように設けられたポリイミド製の配向膜１３ｂとを備えている。また、奇数番目の各第１透明電極１１ａ、奇数側第１端子１１ａｔ及びそれらの間の配線、偶数番目の各第１透明電極１１ｂ、偶数側第１端子１１ｂｔ及びそれらの間の配線、コンタクト部１２ａｃ、奇数側第２端子１２ａｔ及びそれらの間の配線、並びにコンタクト部１２ｂｃ、偶数側第２端子１２ｂｔ及びそれらの間の配線は、絶縁基板１０ａ上に、例えば、ＩＴＯなどの透明導電膜を成膜した後に、その透明導電膜に対して、フォトリソグラフィ、エッチング及びレジストの剥離洗浄を行うことにより、同時に形成される。また、セグメント側基板２１ｃの液晶層２５と反対側（図中下側）の表面には、図９に示すように、偏光板３１ａが貼り付けられている。さらに、奇数側第１端子１１ａｔ、偶数側第１端子１１ｂｔ、奇数側第２端子１２ａｔ及び偶数側第２端子１２ｂｔの各表面には、図１０に示すように、奇数側第１端子１１ａｔ、偶数側第１端子１１ｂｔ、奇数側第２端子１２ａｔ及び偶数側第２端子１２ｂｔの各面積の１０％以上且つ６５％以下をそれぞれ覆うように、配向膜１３ｂが保護絶縁膜として延設されている。ここで、配向膜１３ｂが、奇数側第１端子１１ａｔ、偶数側第１端子１１ｂｔ、奇数側第２端子１２ａｔ及び偶数側第２端子１２ｂｔの各面積の１０％未満をそれぞれ覆っている場合には、奇数側第１端子１１ａｔ、偶数側第１端子１１ｂｔ、奇数側第２端子１２ａｔ及び偶数側第２端子１２ｂｔの腐食耐性が不十分になるので、腐食が発生し易くなり、配向膜１３ａが、奇数側第１端子１１ａｔ、偶数側第１端子１１ｂｔ、奇数側第２端子１２ａｔ及び偶数側第２端子１２ｂｔの各面積の６５％を超えてそれぞれ覆っている場合には、有機膜と端子表面との密着性が低くなるので、奇数側第１端子１１ａｔ、偶数側第１端子１１ｂｔ、奇数側第２端子１２ａｔ及び偶数側第２端子１２ｂｔに、ＦＰＣ６２を圧着する際に介在させるＡＣＦ（不図示）の剥離が発生し易くなるおそれがある。なお、奇数側第１端子１１ａｔ、偶数側第１端子１１ｂｔ、奇数側第２端子１２ａｔ及び偶数側第２端子１２ｂｔは、例えば、１６００μｍ〜３２００μｍ×９５０μｍ程度の面積をそれぞれ有している。
【００６４】
液晶パネル３０ｃでは、セグメント側基板２１ｃ上のコンタクト部１２ａｃ及び１２ｂｃ、及びコモン側基板２２ｃ上のコンタクト部１６ａｃ及び１６ｂｃが、例えば、銀ペーストなどのコモン転移材（不図示）を介してそれぞれ互いに接続されていることにより、セグメント側基板２１ｃ上の奇数側第２端子１２ａｔ及び偶数側第２端子１２ｂｔがコモン側基板２２ｃ上の奇数番目の各第２透明電極１６ａ及び偶数番目の各第２透明電極１６ｂにそれぞれ接続されている。
【００６５】
液晶表示パネル４５を構成する対向基板４２の液晶層４３と反対側（図中上側）の表面には、図９に示すように、液晶パネル３０ｃを構成するセグメント側基板２１ｃに貼り付けられた偏光板３１ａが貼り付けられている。
【００６６】
次に、上記構成の液晶表示装置７０ｃの動作について説明する。
【００６７】
まず、２次元表示（第１の表示状態）の際には、液晶表示パネル４５において、アクティブマトリクス基板４１上の各画素電極と対向基板４２上の共通電極との間に配置する液晶層４３に各副画素毎に所定の電圧を印加して、液晶層４３の配向状態を変えることにより、各副画素毎にバックライト５５からの光の透過率を調整し、液晶パネル３０ｃにおいて、液晶層２５に電圧を印加せずに、視差バリアを発生させない（視差バリアＢ（図７参照）を透明化する）ことにより、左右の眼に同じ光を届かせて、２次元の画像を表示する。
【００６８】
また、縦画面（例えば、図２において縦長の画面）での３次元表示（第２の表示状態）の際には、液晶表示パネル４５において、アクティブマトリクス基板４１上の各画素電極と対向基板４２上の共通電極との間に配置する液晶層４３に各副画素毎に所定の電圧を印加して、液晶層４３の配向状態を変えることにより、各副画素毎にバックライト５５からの光の透過率を調整し、液晶パネル３０ｃにおいて、奇数側第１端子１１ａｔ又は偶数側第１端子１１ｂｔと、奇数側第２端子１２ａｔ及び偶数側第２端子１２ｂｔとに互いに逆相の矩形波の第１信号及び第２信号をそれぞれ入力することにより、液晶層２５に所定の電圧を印加して、複数の第１透明電極１１ａ及び１１ｂの延びる方向に沿うストライプ状の視差バリアＢ（図７参照）を発生させることにより、左右の眼に互いに異なる光を届かせて、縦画面での３次元の画像を表示する。ここで、液晶表示パネル４５は、３次元表示の際に、液晶パネル３０ｃにおける複数の第１透明電極１１ａ及び１１ｂの延びる方向と直交する方向に沿って、左眼用の画像を表示するための画素と、右眼用の画像を表示するための画素とを互いに離間して配置させるように制御されている。
【００６９】
さらに、横画面（例えば、図２において横長の画面）での３次元表示（第３の表示状態）の際には、液晶表示パネル４５において、アクティブマトリクス基板４１上の各画素電極と対向基板４２上の共通電極との間に配置する液晶層４３に各副画素毎に所定の電圧を印加して、液晶層４３の配向状態を変えることにより、各副画素毎にバックライト５５からの光の透過率を調整し、液晶パネル３０ｃにおいて、奇数側第１端子１１ａｔ及び偶数側第１端子１１ｂｔと、奇数側第２端子１２ａｔ又は偶数側第２端子１２ｂｔとに互いに逆相の矩形波の第１信号及び第２信号をそれぞれ入力することにより、液晶層２５に所定の電圧を印加して、複数の第２透明電極１６ａ及び１６ｂの延びる方向に沿うストライプ状の視差バリアＢ（図７参照）を発生させることにより、左右の眼に互いに異なる光を届かせて、横画面での３次元の画像を表示する。ここで、液晶表示パネル４５は、３次元表示の際に、液晶パネル３０ａにおける複数の第２透明電極１６ａ及び１６ｂの延びる方向と直交する方向に沿って、左眼用の画像を表示するための画素と、右眼用の画像を表示するための画素とを互いに離間して配置させるように制御されている。
【００７０】
以上説明したように、本実施形態の液晶パネル３０ｃ及びそれを備えた液晶表示装置７０ｃによれば、奇数番目の複数の第１透明電極１１ａ及び偶数番目の複数の第１透明電極１１ｂと奇数番目の複数の第２透明電極１６ａ及び偶数番目の複数の第２透明電極１６ｂとの間に電圧を印加して液晶層２５を視差バリアＢとして機能させるために、セグメント側基板２１ｃに設けられた奇数番目の複数の第１透明電極１１ａ及び偶数番目の複数の第１透明電極１１ｂにそれぞれ接続された端子領域Ｔの奇数側第１端子１１ａｔ及び偶数側第１端子１１ｂｔの少なくとも一方と、コモン側基板２２ｃに設けられた奇数番目の複数の第２透明電極１６ａ及び偶数番目の複数の第２透明電極１６ｂにコモン転移材を介してそれぞれ接続された端子領域Ｔの奇数側第２端子１２ａｔ及び偶数側第２端子１２ｂｔの少なくとも一方とにそれぞれ所定の信号を入力することにより、奇数側第１端子１１ａｔ及び偶数側第１端子１１ｂｔと奇数側第２端子１２ａｔ及び偶数側第２端子１２ｂｔとの間に電位差が発生し易くなっていても、コモン側基板２２ａから露出するセグメント側基板２１ａの端子領域Ｔに設けられた奇数側第１端子１１ａｔ、偶数側第１端子１１ｂｔ、奇数側第２端子１２ａｔ及び偶数側第２端子１２ｂｔの各一部が配向膜１３ｂでそれぞれ覆われているので、奇数側第１端子１１ａｔ、偶数側第１端子１１ｂｔ、奇数側第２端子１２ａｔ及び偶数側第２端子１２ｂｔの腐食耐性が向上する。これにより、視差バリア用の液晶パネル３０ｃの端子領域Ｔに設けられた奇数側第１端子１１ａｔ、偶数側第１端子１１ｂｔ、奇数側第２端子１２ａｔ及び偶数側第２端子１２ｂｔの腐食を抑制することができるので、視差バリア用の液晶パネル３０ｃに設けられた端子の腐食を抑制することができる。
【００７１】
また、本実施形態の液晶パネル３０ｃ及びそれを備えた液晶表示装置７０ｃによれば、セグメント側基板２１ｃに複数の第１透明電極１１ａ及び１１ｂが互いに平行に延びるように設けられ、コモン側基板２２ｃに複数の第２透明電極１６ａ及び１６ｂが互いに平行に延びるように設けられ、端子領域Ｔに、奇数番目の複数の第１透明電極１１ａに接続された奇数側第１端子１１ａｔ、偶数番目の複数の第１透明電極１１ｂに接続された偶数側第１端子１１ｂｔ、奇数番目の複数の第２透明電極１６ａに接続された奇数側第２端子１２ａｔ、及び偶数番目の複数の第２透明電極１６ｂに接続された偶数側第２端子１２ｂｔがそれぞれ設けられているので、２次元表示の第１の表示状態だけでなく、奇数側第１端子１１ａｔ又は偶数側第１端子１１ｂｔと奇数側第２端子１２ａｔ及び偶数側第２端子１２ｂｔとにそれぞれ所定の信号を入力することにより、奇数番目の複数の第１透明電極１１ａ又は偶数番目の複数の第１透明電極１１ｂと、奇数番目の複数の第２透明電極１６ａ及び偶数番目の複数の第２透明電極１６ａｂとの間に電圧が印加され、液晶層２５が複数の第１透明電極１１ａ及び１１ｂの延びる方向に沿うストライプ状の視差バリアＢとして機能する縦画面での３次元表示の第２の表示状態で表示することができ、また、奇数側第１端子１１ａｔ及び偶数側第１端子１１ｂｔと奇数側第２端子１２ａｔ又は偶数側第２端子１２ｂｔとにそれぞれ所定の信号を入力することにより、奇数番目の複数の第１透明電極１１ａ及び偶数番目の複数の第１透明電極１１ｂと、奇数番目の複数の第２透明電極１６ａ又は偶数番目の複数の第２透明電極１６ｂとの間に電圧が印加され、液晶層２５が複数の第２透明電極１６ａ及び１６ｂの延びる方向に沿うストライプ状の視差バリアＢとして機能する横画面での３次元表示の第３の表示状態で表示することができる。
【００７２】
また、本実施形態の液晶パネル３０ｃ及びそれを備えた液晶表示装置７０ｃによれば、保護絶縁膜（１３ｂ）がセグメント側基板２１ｃの液晶層２５側の表面に設けられた配向膜１３ｂの一部により構成されているので、製造工程を追加することなく、奇数側第１端子１１ａｔ、偶数側第１端子１１ｂｔ、奇数側第２端子１２ａｔ及び偶数側第２端子１２ｂｔ上に保護絶縁膜（１３ｂ）を配置することができる。
【００７３】
なお、本実施形態では、液晶パネル３０ｃのバックライト５５側に液晶表示パネル４５が配置された液晶表示装置７０ｃを例示したが、液晶パネル（３０ｃ）の表示画面側に液晶表示パネル（４５）が配置された構成であってもよい。
【００７４】
《発明の実施形態４》
図１３は、本実施形態の液晶表示装置７０ｄの断面図である。また、図１４は、本実施形態の液晶パネル３０ｃを構成するセグメント側基板２１ｄの平面図である。さらに、図１５は、セグメント側基板２１ｄ及びコモン側基板２２ｃの配置状態を示す斜視図である。
【００７５】
上記実施形態３では、セグメント側基板２１ｃにおいて、偶数側第１端子１１ｂｔ及び奇数側第２端子１２ａｔが相対的に近距離で互いに離間するように設けられた液晶パネル３０ｃを備えた液晶表示装置７０ｃを例示したが、本実施形態では、セグメント側基板２１ｄにおいて、偶数側第１端子１１ｂｔ及び奇数側第２端子１２ａｔが相対的に遠距離で互いに離間するように設けられた液晶パネル３０ｄを備えた液晶表示装置７０ｄを例示する。
【００７６】
液晶表示装置７０ｄは、図１３に示すように、視差バリア用の液晶パネル３０ｄと、液晶パネル３０ｄの図中下側に設けられた表示用の液晶表示パネル４５と、液晶表示パネル４５の図中下側に設けられたバックライト５５と、バックライト５５上に設けられた拡散板５７と、拡散板５７及び液晶表示パネル４５の間に設けられた光学シート６０と、液晶パネル３０ｄ、液晶表示パネル４５、バックライト５５、拡散板５７及び光学シート６０などを内部に収容するように設けられた枠状のベゼル６４とを備えている。
【００７７】
液晶パネル３０ｄは、図１３に示すように、第１基板として設けられたセグメント側基板２１ｄと、セグメント側基板２１ｄに対向するように第２基板として設けられたコモン側基板２２ｃと、セグメント側基板２１ｄ及びコモン側基板２２ｃの間に設けられた液晶層２５と、セグメント側基板２１ｄ及びコモン側基板２２ｃを互いに接着すると共に、セグメント側基板２１ｄ及びコモン側基板２２ｃの間に液晶層２５を封入するために枠状に設けられたシール材２６とを備えている。そして、液晶パネル３０ｄでは、セグメント側基板２１ｄの液晶層２５側の表面に、コモン側基板２２ｃから露出するように、端子領域Ｔ（図１４参照）が設けられている。
【００７８】
セグメント側基板２１ｄは、図１４及び図１５に示すように、ガラス基板などの透明な絶縁基板１０ａと、絶縁基板１０ａ上にコモン側基板２２ｃの複数の第２透明電極１６ａ及び１６ｂと直交する方向に互いに平行に延びるように設けられた複数の第１透明電極１１ａ及び１１ｂと、図１４中左側から奇数番目の複数の第１透明電極１１ａに接続された奇数側第１端子１１ａｔと、図１４中左側から偶数番目の複数の第１透明電極１１ｂに接続された偶数側第１端子１１ｂｔと、コモン側基板２２ｃのコンタクト部１６ａｃ及び１６ｂｃにそれぞれ重なるように設けられたコンタクト部１２ａｃ及び１２ｂｃと、コンタクト部１２ａｃに接続された奇数側第２端子１２ａｔと、コンタクト部１２ｂｃに接続された偶数側第２端子１２ｂｔと、奇数番目の各第１透明電極１１ａ及び偶数番目の各第１透明電極１１ｂを覆うように設けられたポリイミド製の配向膜１３ｃとを備えている。また、奇数側第１端子１１ａｔ、偶数側第１端子１１ｂｔ、奇数側第２端子１２ａｔ及び偶数側第２端子１２ｂｔの各表面には、上記実施形態３と同様に、図１４に示すように、奇数側第１端子１１ａｔ、偶数側第１端子１１ｂｔ、奇数側第２端子１２ａｔ及び偶数側第２端子１２ｂｔの各面積の１０％以上且つ６５％以下をそれぞれ覆うように、配向膜１３ｃが保護絶縁膜として延設されている。ここで、偶数側第１端子１１ｂｔと奇数側第２端子１２ａｔとの端子間距離Ｓ（図１４参照）は、例えば、５００μｍ〜１００ｍｍ程度である。また、セグメント側基板２１ｄの液晶層２５と反対側（図中下側）の表面には、図１３に示すように、偏光板３１ａが貼り付けられている。
【００７９】
液晶パネル３０ｄでは、セグメント側基板２１ｄ上のコンタクト部１２ａｃ及び１２ｂｃ、及びコモン側基板２２ｃ上のコンタクト部１６ａｃ及び１６ｂｃが、例えば、銀ペーストなどのコモン転移材（不図示）を介してそれぞれ互いに接続されていることにより、セグメント側基板２１ｄ上の奇数側第２端子１２ａｔ及び偶数側第２端子１２ｂｔがコモン側基板２２ｃ上の奇数番目の各第２透明電極１６ａ及び偶数番目の各第２透明電極１６ｂにそれぞれ接続されている。
【００８０】
液晶表示パネル４５を構成する対向基板４２の液晶層４３と反対側（図中上側）の表面には、図１３に示すように、液晶パネル３０ｄを構成するセグメント側基板２１ｄに貼り付けられた偏光板３１ａが貼り付けられている。
【００８１】
以上説明したように、本実施形態の液晶パネル３０ｄ及びそれを備えた液晶表示装置７０ｄによれば、上記実施形態３と同様に、コモン側基板２２ｃから露出するセグメント側基板２１ｄの端子領域Ｔに設けられた奇数側第１端子１１ａｔ、偶数側第１端子１１ｂｔ、奇数側第２端子１２ａｔ及び偶数側第２端子１２ｂｔの各一部が配向膜１３ｃでそれぞれ覆われているので、視差バリア用の液晶パネル３０ｄに設けられた端子の腐食を抑制することができる。
【００８２】
また、本実施形態の液晶パネル３０ｄ及びそれを備えた液晶表示装置７０ｄによれば、上記実施形態３と同様に、セグメント側基板２１ｄに複数の第１透明電極１１ａ及び１１ｂが互いに平行に延びるように設けられ、コモン側基板２２ｃに複数の第２透明電極１６ａ及び１６ｂが互いに平行に延びるように設けられ、端子領域Ｔに、奇数番目の複数の第１透明電極１１ａに接続された奇数側第１端子１１ａｔ、偶数番目の複数の第１透明電極１１ｂに接続された偶数側第１端子１１ｂｔ、奇数番目の複数の第２透明電極１６ａに接続された奇数側第２端子１２ａｔ、及び偶数番目の複数の第２透明電極１６ｂに接続された偶数側第２端子１２ｂｔがそれぞれ設けられているので、２次元表示の第１の表示状態だけでなく、液晶パネル３０ｄの液晶層２５が複数の第１透明電極１１ａ及び１１ｂの延びる方向に沿うストライプ状の視差バリアＢとして機能する縦画面での３次元表示の第２の表示状態で表示することができ、また、液晶パネル３０ｄの液晶層２５が複数の第２透明電極１６ａ及び１６ｂの延びる方向に沿うストライプ状の視差バリアＢとして機能する横画面での３次元表示の第３の表示状態で表示することができる。
【００８３】
また、本実施形態の液晶パネル３０ｄ及びそれを備えた液晶表示装置７０ｄによれば、保護絶縁膜（１３ｃ）がセグメント側基板２１ｄの液晶層２５側の表面に設けられた配向膜１３ｃの一部により構成されているので、製造工程を追加することなく、奇数側第１端子１１ａｔ、偶数側第１端子１１ｂｔ、奇数側第２端子１２ａｔ及び偶数側第２端子１２ｂｔ上に保護絶縁膜（１３ｃ）を配置することができる。
【００８４】
また、本実施形態の液晶パネル３０ｄ及びそれを備えた液晶表示装置７０ｄによれば、偶数側第１端子１１ｂｔ及び奇数側第２端子１２ａｔが互いに５００μｍ以上離間して設けられているので、奇数側第１端子１１ａｔ及び偶数側第１端子１１ｂｔの少なくとも一方と、奇数側第２端子１２ａｔ及び偶数側第２端子１２ｂｔの少なくとも一方との間に局部電池が形成され難くなり、視差バリア用の液晶パネル３０ｄに設けられた端子の腐食をいっそう抑制することができる。
【００８５】
なお、本実施形態では、液晶パネル３０ｄのバックライト５５側に液晶表示パネル４５が配置された液晶表示装置７０ｄを例示したが、液晶パネル（３０ｄ）の表示画面側に液晶表示パネル（４５）が配置された構成であってもよい。
【００８６】
また、本実施形態では、セグメント側基板２１ｄにおいて、偶数側第１端子１１ｂｔ及び奇数側第２端子１２ａｔが相対的に遠距離で互いに離間するように設けられた液晶パネル３０ｄを備えた液晶表示装置７０ｄを例示したが、実施形態１及び２のセグメント側基板２１ａにおいて、第１端子１１ｔ及び第２端子１２ｔを相対的に遠距離で互いに離間させた構成であってもよい。
【００８７】
また、上記各実施形態では、保護絶縁膜として、配向膜（ポリイミド膜）を例示したが、絶縁基板に別途形成する有機膜や無機膜であってもよい。
【００８８】
また、上記各実施形態では、表示装置として、液晶表示装置を例示したが、本発明は、有機ＥＬ表示パネルなどを備えた他の表示装置にも適用することができる。
【００８９】
また、上記各実施形態では、２次元表示の表示状態と３次元表示の表示状態との切り替えが可能な液晶表示装置を例示したが、本発明は、通常の広視野角の表示状態と２方向で互いに異なる画像を視認する表示状態との切り替えが可能な表示装置、通常の広視野角の表示状態と横からの覗き込みを防止する狭視野角の表示状態との切り替えが可能な表示装置などにも適用することができる。
【産業上の利用可能性】
【００９０】
以上説明したように、本発明は、視差バリア用の液晶パネルに設けられた端子の腐食を抑制することができるので、視差バリア用の液晶パネルを備えた種々の表示装置について有用である。
【符号の説明】
【００９１】
Ｂ          視差バリア
Ｔ          端子領域
１１，１１ａ，１１ｂ      第１透明電極
１１ａｔ    奇数側第１端子
１１ｂｔ    偶数側第１端子
１１ｔ      第１端子
１２ａｔ    奇数側第２端子
１２ｂｔ    偶数側第２端子
１２ｔ      第２端子
１３ａ，１３ｂ，１３ｃ    配向膜（保護絶縁膜）
１６，１６ａ，１６ｂ      第２透明電極
２１ａ，２１ｃ            セグメント側基板（第１基板）
２２ａ，２２ｃ            コモン側基板（第２基板）
２５，４３                液晶層
３０ａ，３０ｃ，３０ｄ    液晶パネル
４１        アクティブマトリクス基板（一対の基板）
４２        対向基板（一対の基板）
４５        液晶表示パネル
７０ａ〜７０ｄ            液晶表示装置
【図１】
2012137471.tif 000003
【図２】
2012137471.tif 000004
【図３】
2012137471.tif 000005
【図４】
2012137471.tif 000006
【図５】
2012137471.tif 000007
【図６】
2012137471.tif 000008
【図７】
2012137471.tif 000009
【図８】
2012137471.tif 000010
【図９】
2012137471.tif 000011
【図１０】
2012137471.tif 000012
【図１１】
2012137471.tif 000013
【図１２】
2012137471.tif 000014
【図１３】
2012137471.tif 000015
【図１４】
2012137471.tif 000016
【図１５】
2012137471.tif 000017
【国際調査報告】
2012137471.tif 000018
2012137471.tif 000019
2012137471.tif 000020
2012137471.tif 000021